(57)【要約】【課題】高価な生化学容器や光測定装置を特に使用することなく、試料が発する光が弱い場合でも精度良く測定できるようにする。【解決手段】光透過性の底部６を備えた複数の試料収容部Ｄを並設してある生化学容器であって、試料収容部の内側に、下方側ほど収容部径方向外方側に離れる光反射面７を設けてある。【選択図】        図３
2004191127.tif 000002
【特許請求の範囲】
【請求項１】
光透過性の底部を備えた複数の試料収容部を並設してある生化学容器であって、
前記試料収容部の内側に、下方側ほど収容部径方向外方側に離れる光反射面を設けてある生化学容器。
【請求項２】
前記試料収容部の内周面の全部又は一部を、下方側ほど収容部径方向外方側に離れる光反射面に形成してある請求項１記載の生化学容器。
【請求項３】
一端側ほど径が拡がる貫通孔を形成してある板状体の前記一端側を光透過性の基板に接合して前記試料収容部を設け、前記貫通孔の内周面の全部又は一部を前記光反射面に形成してある請求項２記載の生化学容器。
【請求項４】
前記光反射面を鏡面に形成してある請求項１〜３のいずれか１項記載の生化学容器。
【発明の詳細な説明】
【０００１】
【発明の属する技術分野】
本発明は、光透過性の底部を備えた複数の試料収容部を並設してある生化学容器に関する。
【０００２】
【従来の技術】
培養液などの試料を検査したり分析するために、従来から、紫外線などを照射することにより試料が発する蛍光や、試薬を滴下することにより試料が発する光を測定することが行われており、上記生化学容器は、マイクロプレートリーダなどの光測定装置に装着することによって、各試料収容部に収容した試料が発する蛍光などの光を、光透過性の底部を通して、その下面側から能率良く測定することができるようにしてある。
従来の生化学容器では、各試料収容部の内面を内径が一定の筒状に形成してあり（例えば、特許文献１参照）  、各試料収容部に収容した試料が下方に向けて発した光を、その底部を通して、下面側から測定できるように構成している。
【０００３】
【特許文献１】
特開２００２−１２５６５６号公報
【０００４】
【発明が解決しようとする課題】
このため、試料が発する光が弱い場合でも精度良く測定できるようにするには、光透過率が特に高い材料で各試料収容部の底部を形成してある高価な生化学容器を使用したり、感度が特に高い高価な光測定装置を使用しなければならず、測定コストが高くなる欠点がある。
本発明は上記実情に鑑みてなされたものであって、高価な生化学容器や光測定装置を特に使用することなく、試料が発する光が弱い場合でも精度良く測定できるようにすることを目的とする。
【０００５】
【課題を解決するための手段】
請求項１記載の発明の特徴構成は、光透過性の底部を備えた複数の試料収容部を並設してある生化学容器であって、前記試料収容部の内側に、下方側ほど収容部径方向外方側に離れる光反射面を設けてある点にある。
【０００６】
〔作用及び効果〕
試料収容部に収容した試料が上方に向けて発した光は、試料収容部の内側に設けてある下方側ほど収容部径方向外方側に離れる光反射面に入射して、試料収容部の底部に向けて反射し易く、各試料収容部の底部を透過する光が従来に比べて増えるので、高価な生化学容器や光測定装置を特に使用することなく、試料が発する光が弱い場合でも精度良く測定し易い。
【０００７】
請求項２記載の発明の特徴構成は、前記試料収容部の内周面の全部又は一部を、下方側ほど収容部径方向外方側に離れる光反射面に形成してある点にある。
【０００８】
〔作用及び効果〕
試料収容部の内側に光反射面を別途設ける必要が無く、構造の簡略化を図ることができる。
【０００９】
請求項３記載の発明の特徴構成は、一端側ほど径が拡がる貫通孔を形成してある板状体の前記一端側を光透過性の基板に接合して前記試料収容部を設け、前記貫通孔の内周面の全部又は一部を前記光反射面に形成してある点にある。
【００１０】
〔作用及び効果〕
板状体には一端側ほど径が拡がる貫通孔を容易に形成することができ、その板状体の一端側を光透過性の基板に接合して試料収容部を設け、貫通孔の内周面の全部又は一部を下方側ほど収容部径方向外方側に離れる光反射面に形成してあるので、試料が発する光が弱い場合でも精度良く測定し易い生化学容器を簡便に製作できる。
また、下方側ほど径が拡がる奥拡がりの試料収容部、つまり、入り口が狭い試料収容部を設けてあるので、液状の試料を収容してもこぼれにくいとともに、揮発性の溶剤を使用してある試料を収容しても、溶剤が揮発しにくい。
【００１１】
請求項４記載の発明の特徴構成は、前記光反射面を鏡面に形成してある点にある。
【００１２】
〔作用及び効果〕
光反射面を鏡面に形成してあるので、光反射面に入射した光を、試料収容部の底部に向けて効率良く反射させて、一層精度良く測定し易い。
【００１３】
【発明の実施の形態】
以下に本発明の実施の形態を図面に基づいて説明する。
〔第１実施形態〕
図１，図２は、光透過性の底部６を備えた複数の試料収容部（セル）  Ｄを縦横に並設してある生化学容器を示し、厚み方向に貫通する複数の貫通孔１を形成してある板状体Ａの一側面側を、接着材Ｃで長方形のガラス基板（光透過性を備えた基板）  Ｂに接合して、各貫通孔１の一端側をガラス基板Ｂで塞ぐことにより、多数の試料収容部Ｄを設け、各試料収容部Ｄの内側に、下方側ほど収容部径方向外方側に離れる光反射面７を設けてある
【００１４】
前記貫通孔１の各々は、図２に示すように、その一端側、つまり、ガラス基板Ｂとの接合面２Ａ側ほど径が拡がる円錐台形状のテーパ状内周面３と、テーパ状内周面３の大径側端部に連続する略一定内径の筒状内周面４とを備え、テーパ状内周面３の全面に銀メッキ層８を設けて、試料収容部Ｄの内周面の全面を、下方側ほど収容部径方向外方側に離れる鏡面の光反射面７に形成してある。
【００１５】
そして、ガラス基板Ｂの板状体Ａとの接合面２Ｂ側に、板状体Ａの筒状内周面４の内径と略同じ外径で、かつ、筒状内周面４の長さと略同じ高さの円柱台形状の多数の凸部５を一体形成し、これらの凸部５の各々を筒状内周面４に全周に亘って密着嵌合させて、板状体Ａの一側面側を接着材Ｃでガラス基板Ｂに接合し、下方側ほど径が拡がる奥拡がりの試料収容部Ｄを設けてある。
【００１６】
従って、図３に示すように、試料収容部Ｄに収容した培養液などの試料Ｅが上方に向けて発した光Ｆは、試料収容部Ｄの内側に設けてある光反射面７に入射して、試料収容部Ｄの底部６に向けて反射し易く、各試料収容部Ｄの底部６を透過する光Ｆが従来に比べて増える。
【００１７】
前記板状体Ａは、例えばソーダライムガラス等の各種ガラスや、各種セラミック，各種金属などの無機材料でガラス基板Ｂと平面視で略同寸法に構成してあるが、ポリスチレン樹脂等の各種紫外線透過性の合成樹脂で構成してあっても良い。
【００１８】
前記ガラス基板Ｂは、８０％以上の高い紫外線透過率を有する天然石英ガラスや、合成石英ガラス，ホウケイ酸ガラスなどの紫外線分光分析に好適の紫外線透過性のガラスで構成してあるが、例えば、２３０ｎｍ〜３００ｎｍの紫外線の平均透過率が８５％以上と非常に高くて紫外線分光分析に極めて好適の、紫外線透過ガラス（フィリップス社製ＰＨ１６０）  で構成してあっても良い。
【００１９】
前記接着材Ｃとして、低融点ガラスや金属ハンダ等の無機接着材を使用してあるので、遺伝子解析などにおいて試料収容部Ｄに有機溶剤（例えばイソオクタン等）  を収容しても接着材Ｃが溶け出したりすることがなく、好適であるが、有機接着材を使用しても良い。
【００２０】
〔第２実施形態〕
図４は、試料収容部Ｄの内周面の一部を、下方側ほど収容部径方向外方側に離れる鏡面の光反射面７に形成してある実施形態を示し、テーパ状内周面３の小径側端部に連続する略一定内径の筒状上部内周面９を備えている貫通孔１を板状体Ａに形成し、その板状体Ａをガラス基板Ｂに接合して、下方側ほど径が拡がる奥拡がりの試料収容部Ｄを設け、テーパ状内周面３の略全面に銀メッキ層８を設けて、試料収容部Ｄの内周面の一部を、下方側ほど収容部径方向外方側に離れる鏡面の光反射面７に形成してある。
その他の構成は第１実施形態と同様である。
【００２１】
〔その他の実施形態〕
１．本発明による生化学用容器は、試料収容部の内側に、下方側ほど収容部径方向外方側に離れる光反射面を別途設けてあっても良い。
２．本発明による生化学用容器は、試料収容部の内周面を部分球面状に形成して、その内周面を下方側ほど収容部径方向外方側に離れる光反射面に形成してあっても良い。
３．本発明による生化学用容器は、下方側ほど収容部径方向外方側に離れる扁平な光反射面を設けてあっても良い。
４．本発明による生化学用容器は、試料収容部に収容した試料が上方に向けて発した光を、下方側ほど収容部径方向外方側に離れる光反射面で下方に向けて全反射させるように構成してあっても良い。
【図面の簡単な説明】
【図１】生化学用容器の一部切欠き斜視図
【図２】要部の拡大断面図
【図３】作用の説明図
【図４】第２実施形態の生化学用容器を示す要部の拡大断面図
【符号の説明】
１  貫通孔
６  底部
７  光反射面
Ａ  板状体
Ｂ  基板
Ｄ  試料収容部
【図１】
2004191127.tif 000003
【図２】
2004191127.tif 000004
【図３】
2004191127.tif 000005
【図４】
2004191127.tif 000006